【事件の表示】
　特許第２９３１４２２号「ペットの糞尿処理材」の請求項１ないし３に係る特許に対する特許異議の申立てについて、次のとおり決定する。
【結　論】
　訂正を認める。
　特許第２９３１４２２号の請求項１に係る特許を維持する。
【理　由】
　特許第２９３１４２２号に係る発明についての出願は、平成３年３月１日に出願され、平成１１年５月２１日にその発明について特許の設定登録がなされ、その後、その特許について、異議申立人安孫子貞子により特許異議の申立てがなされ、取消理由通知がなされ、その指定期間内である平成１２年７月１４日に訂正請求がなされたものである。
（２）訂正の適否についての判断
ア．訂正の内容
（ａ）特許請求の範囲の請求項１ないし３に係る記載「【請求項１】１ｍｍ径の篩を１００％通過し、０．３ｍｍ径の篩を５０％以上通過する木材の引き粉を主成分とする高吸水力のペットの糞尿処理材。
【請求項２】更に粘結剤を添加してなる請求項１記載の糞尿処理材。
【請求項３】粘結剤が力ルボキシメチルセルロースである請求項２記載の糞尿処理材。」を、
「【請求項１】１ｍｍ径の篩を１００％通過し、０．３ｍｍ径の篩を５０％以上通過する木材の引き粉を主成分とし、更に粘結剤として力ルボキシメチルセルロースを０．５重量％から１０重量％含有する高吸水力のペットの糞尿処理材。」と訂正する
（ｂ）段落番号【０００６】の「成功し、本発明を完成するに至った。」を、「成功し、更に粘結剤としてカルボキシメチルセルロースを併用することで本発明を完成するに至った。」と訂正する。
（ｃ）段落番号【０００７】の「すなわち本発明は、１ｍｍ径の篩を１００％通過し、０．３ｍｍ径の篩を５０％以上通過する木材の引き粉を主成分とする高吸水力のペットの糞尿処理材を提供するものである。」を、「すなわち本発明は、１ｍｍ径の篩を１００％通過し、０．３ｍｍ径の篩を５０％以上通過する木材の引き粉を主成分とし、更に粘結剤としてカルボキシメチルセルロースを０．５重量％から１０重量％含有する高吸水力のペットの糞尿処理材を提供するものである。」と訂正する。
（ｄ）段落番号【０００９】の「本発明のペットの糞尿処理材は、粘結剤を添加して調製することもできる。粘結剤としては水溶性高分子である繊維素誘導体、例えばカルボキシメチルセルロース（以下ＣＭＣと称す）、ヒドロキシエチルセルロース、ヒドロキシエチルヒド口キシメチルセルロース、メチルセルロース等又はこれらの加工品が成形時の潤滑性を高め、成形後の吸液力及び保液力を高めることができるので使用可能である。また、これらの粘結剤は繊維素誘導体であるため、焼却処理が可能で、廃棄処理が簡単であると共に、人体及びペットにも全く無害である。更に粘結剤としてポリアクリル酸ナトリウム、飼料用グアーガム、サイリウムシードガム、アルギン酸ナトリウム等を併用することも可能である。粘結剤としては特にＣＭＣ又はその加工品が好ましい。この場合、上記の如き粒径の調整された木材の引き粉に対してＣＭＣ又はその加工品を０．５重量％から１０重量％添加し、適当な量の水を添加し混合したものを造粒機で任意の粒径に成型して得られる。」を、「本発明のペットの糞尿処理材は、粘結剤として力ルボキシメチルセルロース（以下ＣＭＣと称す）が用いられる。ＣＭＣは、成形時の潤滑性を高め、成形後の吸液力及び保液力を高めることができるので使用可能である。また、ＣＭＣは繊維素誘導体であるため、焼却処理が可能で、廃棄処理が簡単であると共に、人体及びペットにも全く無害である。更に粘結剤としてポリアクリル酸ナトリウム、飼料用グアーガム、サイリウムシードガム、アルギン酸ナトリウム等を併用することも可能である。ＣＭＣは、上記の如き粒径の調整された木材の引き粉に対して０．５重量％から１０重量％添加され、適当な量の水を添加し混合したものを造粒機で任意の粒径に成型して得られる。」と訂正する。
（ｅ）段落番号【００１８】の表２中、本発明品Ｎｏ．１の欄を削除し、本発明品Ｎｏ．２、３、４を、それぞれ本発明品Ｎｏ．１、２、３と訂正する。
（ｆ）段落番号【００２１】の表３中、本発明品Ｎｏ．５の欄を削除し、本発明品Ｎｏ．６、７、８を、それぞれ本発明品Ｎｏ．４、５、６と訂正する。
（ｇ）段落番号【００２２】の「本発明品Ｎｏ．１の場合は速やかに分散し、Ｎｏ．２の場合はやや膨潤した後に崩壊する。」を「本発明品Ｎｏ．１の場合はやや膨潤した後に崩壊する。」と訂正する。
（ｈ）段落番号【００２４】の表４中、本発明品Ｎｏ．９の欄を削除し、本発明品Ｎｏ．１０、１１、１２、１３、１４を、それぞれ本発明品Ｎｏ．７、８、９、１０、１１と訂正する。
（ｉ）段落番号【００２６】の「本発明品Ｎｏ．１８」を、「本発明品Ｎｏ．１４」と訂正する。
（ｊ）段落番号【００２７】の表５中、本発明品Ｎｏ．１５の欄を削除し、本発明品Ｎｏ．１６、１７、１８を、それぞれ本発明品Ｎｏ．１２、１３、１４と訂正する。
（ｋ）段落番号【００２８】の「本発明品Ｎｏ．１８」を、「本発明品Ｎｏ．１４」と訂正する。
（ｌ）段落番号【００２９】の「本発明品Ｎｏ．２３及び２４」）を、「本発明品Ｎｏ．１８及び１９」と訂正する。
（ｍ）段落番号【００３０】の表６中、本発明品Ｎｏ．１９の欄を削除し、本発明品Ｎｏ．２０、２１、２２、２３、２４を、それぞれ本発明品Ｎｏ．１５、１６、１７、１８、１９と訂正する。
イ．訂正の目的の適否、新規事項の有無、及び拡張・変更の存否
　上記訂正事項（ａ）は、請求項１に、更に粘結剤としてカルボキシメチルセルロースを０．５から１０重量％を添加したものであり、この粘結剤の添加は請求項２、３に記載され、その添加量は段落【０００９】に記載されているから、特許請求の範囲の減縮を目的とするものである。
　上記訂正事項（ｂ）〜（ｍ）は、上記特許請求の範囲の減縮にともない、これと整合性を図るため発明の詳細な説明を訂正するものであるから、明りょうでない記載の釈明を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
ウ．独立特許要件
（訂正明細書の請求項１に係る発明）
　訂正明細書の請求項１に係る発明は、その特許請求の範囲の請求項１に記載された次の事項により特定されるとおりのものである。
「【【請求項１】１ｍｍ径の篩を１００％通過し、０．３ｍｍ径の篩を５０％以上通過する木材の引き粉を主成分とし、更に粘結剤として力ルボキシメチルセルロースを０．５重量％から１０重量％含有する高吸水力のペットの糞尿処理材。」
（引用刊行物に記載の発明）
　当審が取消理由に引用した刊行物１（特開昭５８−１１１６２５号公報）には、「木粉等の吸水性を有する粉砕物とリグニン等の熱可塑性樹脂とを４０〜９０％：６０〜１０％の含有比で少なく共１００℃以上の温度で混練したものを造粒成形したペット汚物用敷材」（特許請求の範囲）、「第１表は約４０〜１００メッシュの木粉とリグニン粉末を１２０℃に熱したドラム内で混練したものを５〜１０ｍｍの球形状に造粒成形して吸水性（保水性）と消臭効果を確認したものである。本表より理解される通り木粉を４０〜８０％混練したものはについては吸水性と保水性を有し、又吸水性により破壊される事はない。」（２頁左上欄１０〜１６行）と記載されている。
　刊行物２（特開昭６０−９４０４３号公報）には、「繊維質含量の多い植物原料と、澱粉類あるいは結合剤と、鉱物質原料との混合物を加水あるいは調湿後、高温、高圧下にて捏和し、ダイの孔より押出してなる〜排泄物処理材の製造方法」（特許請求の範囲）、「本発明において使用する繊維質含量の多い植物原料としては、〜オガ屑、木質粉、その他が挙げられ、これらのうちから１種以上適当なものを選んで使用する。」（２頁左上欄１１行〜右上欄２行）、「本発明に使用する澱粉類あるいは結合剤としては、繊維質含量の多い植物原料と鉱物原料とを造粒成型できるような結合効果を有するようなものであればよく、例えばとうもろこし〜などの穀類およびその穀粉類；コーンスターチ〜などの澱粉類；〜ＣＭＣなどの結着剤あるいは結合剤などが挙げられ、これらのうち適宜１種以上を選んで使用する。」（２頁右上欄３〜１４行）と記載されている。
　刊行物３（特開平２−９２２２３号公報）には、「パルプ系粒状物の表面に〜ＣＭＣ（カルボキシメチルセルロース）を被覆した〜ペット用排泄物処理材」（特許請求の範囲）と記載されている。
（対比・判断）
　訂正明細書の請求項１に係る発明と、刊行物１に記載の発明を対比すると、刊行物１には、粘結剤として、リグニン等の熱可塑性樹脂を用いることは記載されているが、訂正明細書の請求項１に係る発明を特定する事項である「粘結剤としてカルボキシメチルセルロースを０．５重量％から１０重量％含有する」ことについての記載がない。
　刊行物２、３には、粘結剤としてカルボキシメチルセルロースを用いることは記載されているが、刊行物２では、「本発明に使用する澱粉類あるいは結合剤としては、繊維質含量の多い植物原料と鉱物原料とを造粒成型できるような結合効果を有するようなものであればよく、例えばとうもろこし〜などの穀類およびその穀粉類；コーンスターチ〜などの澱粉類；〜ＣＭＣなどの結着剤あるいは結合剤などが挙げられ、これらのうち適宜１種以上を選んで使用する。」（２頁右上欄３〜１４行）と記載されているように、ＣＭＣの吸水性を利用してＣＭＣを結合剤として用いる本件請求項１に係る発明とは目的が相違し、結合剤の添加量も「これら原料の混合割合は、繊維質含量の多い植物原料１０〜５０％、澱粉類あるいは結合剤５〜４０％、鉱物質原料３０〜７０％の範囲で混合するのが望ましく」（２頁１１〜１４行）と記載のように、結合剤を５〜４０％添加するものであるけれども、植物原料と鉱物質原料を主成分とするものであるから、引き粉を主成分としたものにＣＭＣを０．５〜１０重量％添加することも記載されていない。また、刊行物３に記載の発明は、パルプ系粒状物の表面にＣＭＣを被覆した排泄物処理材に関し、使用時に、その吸水性を利用して尿によって粒状物をブロック化させ、後処理を容易にするものであって、訂正明細書の請求項１に係る発明とは目的が相違し、使用量も実施例では粒状物の固形分当たり約１５重量％であるから、訂正明細書の請求項１に係る発明とは含有量も相違する。
　したがって、木材の引き粉を主成分とする高吸水力のペットの糞尿処理材に、更に粘結剤として力ルボキシメチルセルロースを０．５重量％から１０重量％含有させることは、刊行物２，３に記載の発明から当業者が容易に想到し得るものとは認められないから、訂正明細書の請求項１に係る発明は、特許出願の際独立して特許を受けることができるものである。
エ．むすび
　以上のとおりであるから、上記訂正は特許法第１２０条の４第２項および第３項で準用する特許法第１２６条第２項ないし第４項の規定に適合するので、当該訂正を認める。
（３）特許異議の申立てについて
ア．申立ての理由の概要
　申立人は、証拠として甲第１号証（特開昭５８−１１１６２５号公報）、甲第２号証（特開昭５８−２０１３１号公報）、甲第３号証（特開昭６０−９４０４３号公報）及び甲第４号証（特開平２−９２２２３号公報）を提出し、特許明細書の請求項１に係る発明は、甲第１号証に記載された発明であり、特許明細書の請求項１ないし３に係る発明は、甲第１ないし４号証に記載の発明に基づいて当業者が容易に発明をすることができたものであるから、特許明細書の請求項１に係る発明の特許は、特許法第２９条第１項第３号の規定に違反してなされ、特許明細書の請求項１ないし３に係る発明の特許は、特許法第２９条第２項の規定に違反してなされたものであるから取り消されべきものである旨主張している。
イ．本件発明
　本件請求項１に係る発明は、平成１２年６月６日付けで提出された訂正請求書に添付された明細書の特許請求の範囲の請求項１に記載された事項により特定されるとおりのものである。
ウ．甲第１ないし４号証に記載の発明
　甲第１号証、甲第３号証および甲第４号証は、上記（２）ウ（引用刊行物に記載の発明）に記載の刊行物１、刊行物２および刊行物３であるから、上記（２）ウ（引用刊行物に記載の発明）に示した発明が記載されている。
　甲第２号証（特開昭５８−２０１３１号公報）には、「故紙又は廃パルプの裁断．粉砕物を加湿造粒して大部分が粒子径３〜１０ｍｍの綿状粒子とした〜家畜用敷床材」（特許請求の範囲）、「綿状粒子の安定性を高める手段として、加湿する水の中へ若干の結合剤としてセルロース系のカルボキシメチルセルロース〜を０．２〜２％含有させると、より好ましい結果を与える。」（１頁右欄１８行〜２頁左上欄３行）と記載されている。
エ．判断
　甲第２号証に記載の発明は、綿状粒子の安定性を高めるためにカルボキシメチルセルロース（ＣＭＣ）を結合剤として用いるものであって、ＣＭＣの吸水性を利用してＣＭＣを結合剤として用いる本件請求項１に係る発明とは、その目的が相違し、しかも、甲第２号証に記載の発明は、厩舎の敷わらの代替品として好適な家畜用敷床材に係る発明であるから、用途も相違する。
　したがって、上記（２）ウ（対比・判断）で示した理由と同様に、本件請求項１に係る発明は、甲第１ないし４号証に記載の発明に基づいて当業者が容易に発明をすることができたものではない。
　なお、特許明細書の請求項１に係る発明は、上記（２）ア（ａ）に記載のように訂正された。即ち、訂正明細書の請求項１に係る発明は、特許明細書の請求項１に、請求項２、３を繰り入れ、更に、カルボキシメチルセルロースの含有量を特定したものである。
　したがって、本件請求項１に係る発明は、甲第１号証に記載された発明とすることはできない
オ．むすび
　以上のとおりであるから、特許異議申立ての理由および証拠によっては、本件請求項１に係る発明の特許を取り消すことはできない。
　また、他に本件請求項１に係る発明の特許を取り消すべき理由を発見しない。
　よって、結論のとおり決定する。 　
【異議決定日】
平成１２年８月１６日（２０００．８．１６）
【訂正の要旨】
　特許第２９３１４２２号発明の明細書を本件訂正請求書に添付の訂正明細書のとおりに訂正する。即ち、特許請求の範囲の減縮を目的として下記（ａ）のとおり訂正し、明りょうでない記載の釈明を目的として下記（ｂ）〜（ｍ）のとおり訂正する。
（ａ）特許請求の範囲の請求項１ないし３に係る記載「【請求項１】１ｍｍ径の筋を１００％通過し、０．３ｍｍ径の篩を５０％以上通過する木材の引き粉を主成分とする高吸水力のペットの糞尿処理材。
　【請求項２】更に粘結剤を添加してなる請求項１記載の糞尿処理材。
　【請求項３】粘結剤がカルボキシメチルセルロースである請求項２記載の糞尿処理材。」を、
「【請求項１】１ｍｍ径の篩を１００％通過し、０．３ｍｍ径の篩を５０％以上通過する木材の引き粉を主成分とし、更に粘結剤としてカルボキシメチルセルロースを０．５重量％から１０重量％含有する高吸水力のペットの糞尿処理材。」と訂正する
（ｂ）段落番号【０００６】の「成功し、本発明を完成するに至った。」を、
「成功し、更に粘結剤としてカルボキシメチルセルロースを併用することで本発明を完成するに至った。」と訂正する。
（ｃ）段落番号【０００７】の「すなわち本発明は、１ｍｍ径の篩を１００％通過し、０．３ｍｍ径の篩を５０％以上通過する木材の引き粉を主成分とする高吸水力のペットの糞尿処理材を提供するものである。」を、「すなわち本発明は、１ｍｍ径の篩を１００％通過し、０．３ｍｍ径の篩を５０％以上通過する木材の引き粉を主成分とし、更に粘結剤としてカルボキシメチルセルロースを０．５重量％から１０重量％含有する高吸水力のペットの糞尿処理材を提供するものである。」と訂正する。
（ｄ）段落番号【０００９】の「本発明のペットの糞尿処理材は、粘結剤を添加して調製することもできる。粘結剤としては水溶性高分子である繊維素誘導体、例えばカルボキシメチルセルロース（以下ＣＭＣと称す）、ヒドロキシエチルセルロース、ヒドロキシエチルヒドロキシメチルセルロース、メチルセルロース等又はこれらの加工品が成形時の潤滑性を高め、成形後の吸液力及び保液力を高めることができるので使用可能である。また、これらの粘結剤は繊維素誘導体であるため、焼却処理が可能で、廃棄処理が簡単であると共に、人体及びペットにも全く無害である。更に粘結剤としてポリアクリル酸ナトリウム、飼料用グアーガム、サイリウムシードガム、アルギン酸ナトリウム等を併用することも可能である。粘結剤としては特にＣＭＣ又はその加工品が好ましい。この場合、上記の如き粒径の調整された木材の引き粉に対してＣＭＣ又はその加工品を０．５重量％から１０重量％添加し、適当な量の水を添加し混合したものを造粒機で任意の粒径に成型して得られる。」を、「本発明のペットの糞尿処理材は、粘結剤としてカルボキシメチルセルロース（以下ＣＭＣと称す）が用いられる。ＣＭＣは、成形時の潤滑性を高め、成形後の吸液力及び保液力を高めることができるので使用可能である。また、ＣＭＣは繊維素誘導体であるため、焼却処理が可能で、廃棄処理が簡単であると共に、人体及びペットにも全く無害である。更に粘結剤としてポリアクリル酸ナトリウム、飼料用グアーガム、サイリウムシードガム、アルギン酸ナトリウム等を併用することも可能である。ＣＭＣは、上記の如き粒径の調整された木材の引き粉に対して０．５重量％から１０重量％添加され、適当な量の水を添加し混合したものを造粒機で任意の粒径に成型して得られる。」と訂正する。
（ｅ）段落番号【００１８】の表２中、本発明品Ｎｏ．１の欄を削除し、本発明品Ｎｏ．２、３、４を、それぞれ本発明品Ｎｏ．１、２、３と訂正する。
（ｆ）段落番号【００２１】の表３中、本発明品Ｎｏ．５の欄を削除し、本発明品Ｎｏ．６、７、８を、それぞれ本発明品Ｎｏ．４、５、６と訂正する。
（ｇ）段落番号【００２２】の「本発明品Ｎｏ．１の場合は速やかに分散し、Ｎｏ．２の場合はやや膨潤した後に崩壊する。」を「本発明品Ｎｏ．１の場合はやや膨潤した後に崩壊する。」と訂正する。
（ｈ）段落番号【００２４】の表４中、本発明品Ｎｏ．９の欄を削除し、本発明品Ｎｏ．１０、１１、１２、１３、１４を、それぞれ本発明品Ｎｏ．７、８、９、１０、１１と訂正する。
（ｉ）段落番号【００２６】の「本発明品Ｎｏ．１８」を、「本発明品Ｎｏ．１４」と訂正する。
（ｊ）段落番号【００２７】の表５中、本発明品Ｎｏ．１５の欄を削除し、本発明品Ｎｏ．１６、１７、１８を、それぞれ本発明品Ｎｏ．１２、１３、１４と訂正する。
（ｋ）段落番号【００２８】の「本発明品Ｎｏ．１８」を、「本発明品Ｎｏ．１
４」と訂正する。
（１）段落番号【００２９】の「本発明品Ｎｏ．２３及び２４」）を、「本発明品Ｎｏ．１８及び１９」と訂正する。
（ｍ）段落番号【００３０】の表６中、本発明品Ｎｏ．１９の欄を削除し、本発明品Ｎｏ．２０、２１、２２、２３、２４を、それぞれ本発明品Ｎｏ．１５、１６、１７、１８、１９と訂正する。
（５４）【発明の名称】
ペットの糞尿処理材
（５７）【特許請求の範囲】
　【請求項１】　１ｍｍ径の篩を１００％通過し、０．３ｍｍ径の篩を５０％以上通過する木材の引き粉を主成分と
し、更に粘結剤としてカルボキシメチルセルロースを０．５重量％から１０重量％含有
【発明の詳細な説明】
　【０００１】
　【産業上の利用分野】
　本発明はペットの糞尿処理材に関する。更に詳しくはペットが排泄した後の廃棄処理を簡単に行うことができる糞尿処理材に関する。
　【０００２】
　【従来の技術及びその課題】
　近年、我が国でも犬猫を飼育することが増加しているが、従来からの鼠害予防或いは番犬としての飼育よりも主として愛玩用として室内で飼育することが主体となっている。特に都市部においては従来のように住宅内の庭で飼うことは困難であり、ましてアパート或いはマンション等では室内での飼育に限定されることが多い。愛玩用として飼育する犬猫の大きさも小型化すると共に、元々小型である猫を愛玩用として飼育する傾向が急速に高まっている。
　【０００３】
　最近は単に飼育すると言うより家族の一員として可愛がる傾向が強く、従って用便も室内でさせることが多いが、従来から行なわれている方法として海砂或いは川砂を入れた木箱に排泄させた後、庭に穴を掘り砂毎捨てる方法がある。しかしながら、この方法は広い庭とか畑のある農家等以外は困難なことが多く、ペットを飼う人の比較的多い都市部では不可能である。
　【０００４】
　そこで、猫のし尿を固めて捨てる方法としてベントナイト或いはゼオライト等を主材として粒状に加工したものを従来の砂に代えて使用している。
　しかしながら、これらは異常に硬く表面も緻密であるために、排泄されたし尿を瞬時に吸水或いは吸着することは困難である。また、瞬時に吸水或いは吸着するタイプとして極小さい粒子に加工したものがあるが、この場合は猫にはし尿の排泄後に砂を掻く習性があるので、猫の身体に粉が付着したり、或いはし尿を吸着した湿った加工砂が付着したりすることもあり、猫自体の衛生上も好ましくなく、人の住環境を著しく損なうことになる。
　【０００５】
　また、ベントナイト、ゼオライト等は焼却処理或いは生ゴミとしての処理及びトイレでの処理が困難であり、酵素或いは腐敗による消滅も期待し難い。木粉、粉砕パルプ等の繊維質を主としたものは焼却処理が可能であるが、本来の砂の感触が少ない。また脱脂処理をしないものは吸水速度がやや劣る。
　【０００６】
　【課題を解決するための手段】
　本発明者らはこれらの点に注目し鋭意研究した結果、最も安価に入手できる木材の引き粉（オガクズ）を粉砕することによりその表面積を増加させ、吸水力を高めると共に、粒径を調整することによって粒子間の空隙をできるだけ均一にし、吸水速度及び吸着力を高めることに成功し、
更に粘結剤としてカルボキシメチルセルロースを併用することで
　【０００７】
　すなわち本発明は、１ｍｍ径の篩を１００％通過し、０．３ｍｍ径の篩を５０％以上通過する木材の引き粉を主成分と
し、更に粘結剤としてカルボキシメチルセルロースを０．５重量％から１０重量％含有
　【０００８】
　通常の木材の引き粉は粗粒子が大半を占めているので、透水性はよいが、大径粒径の引き粉の表面を濡らすのみで、粗粒子の内部まで吸水することは困難である。また粘結剤を使用したとしても粒子問の空隙の大きさが不均一なため空隙の大きい部分に多量のし尿が充填されることになり、粘結剤の濃度が部分的に希薄になり粘結力を弱めることになる。反面、粒子の小さい部分は空隙が少なく、し尿が充填しにくくなり、粘結剤の濃度が部分的に濃厚となり、高粘度の粘結剤皮膜が形成されることによってそれ以上のし尿の吸液或いは吸着ができず、加工砂自体が部分的に硬さの相違する塊となるために廃棄等の処理時に箸或いはピンセット等での除去時に崩壊することになる。
　これに対して、本発明に用いられる粒度が１ｍｍ径の篩を１００％通過し、０．３ｍｍ径の篩を５０％以上通過するように調整された木材の引き粉は、成形後も一定の空隙を持つ均一な組織体を形成するので、し尿の吸液或いは吸着が均一になり、し尿による湿潤部分も全体が均一な硬さで固まる。従って、廃棄処理も簡単であり、また添加した粘結剤も有効に機能する。
　【０００９】
　本発明のペットの糞尿処理材は、
粘結剤としてカルボキシメチルセルロース（以下ＣＭＣと称す）が用いられる。ＣＭＣは、
ＣＭＣ
ＣＭＣは、
て０．５
され
　【００１０】
　本発明に用いられるＣＭＣの物性としては無水換算１％水溶液の粘度が３０ｃｐｓから１００００ｃｐｓ、望ましくは１００ｃｐｓから５０００ｃｐｓのものが良好である。また、ＣＭＣのエーテル化度は０．５から２．５、望ましくは０．６から１．８のものが良好である。また、ＣＭＣと架橋する金属塩を併用することも好ましく、適当な架橋を行なうことにより吸水力の向上及びし尿を柔軟なゲル状に固化する機能を付与できる。金属塩としては、ミョウバン、焼きミョウバン、塩化第二鉄、ピロリン酸第二鉄、クエン酸鉄、硫酸アルミニウム、水酸化アルミニウム、硫酸鉄、リン酸−水素ナトリウム、リン酸−水素カリウム、リン酸二水素ナトリウム、リン酸二水素カリウム等の食品添加物或いは飼料添加物として認可されているものが挙げられる。更に架橋或いはゲル生成を助成するために使用してもよいｐＨ調節剤としては、リンゴ酸、クエン酸、乳酸、アスコルビン酸等が例示できるが、これらに限定されるものではない。
　【００１１】
　本発明においては木材の引き粉は単独で使用することが基本であるが、従来から使用されているベントナイト類、ゼオライト類等を、本発明の効果を妨げない範囲で併用することを妨げるものではない。
　【００１２】
　【発明の効果】
　ベントナイト類、ゼオライト類はコストは安いが廃棄処理に難点があり、またパルプ系は廃棄処理が簡単であるが、価格が高いことが難点である。また、し尿の吸液力も充分な機能とは言い難い。
　【００１３】
　これに対して本発明の粒度を調節した木材の引き粉は、し尿の吸液力も確保できると共に、コストも安く、いずれの方法の廃棄処理も可能なペットの糞尿処理材として有効なものとなる。
　【００１４】
　【実施例】
　以下実施例にて本発明を説明するが、本発明はこれらの実施例に限定されるものではない。なお、例中、部は特に断らない限り重量基準である。
　【００１５】
　表１に実施例で用いた木材の引き粉の粒度の分布を示した。尚、試験用の引き粉は製材所の引き粉貯槽より調達した。材質、鋸の目合いは一般住宅の製材用である。
　【００１６】
　【表１】
　【００１７】
実施例１
　表１の引き粉に、粘結剤としてダイセル化学工業（株）のＣＭＣダイセル＜１１９０＞を引き粉に対して３，５，１０重量％添加して各種糞尿処理材を調製した。
　ガラスシャーレに５ｇの糞尿処理材を平らになるように入れ、尿の代用として下記の組成からなる試験液５ｍｌを静かに添加し、吸水速度の計測及び吸水した部分を指頭の感触で判定した。試料は各５個ずつ準備し、判定は５人の従事者が担当した。その結果を表２に示す。評価結果は５人の平均値である。
試験液組成
　尿素　　　　　　　　　　　１５．０ｇ
　食塩　　　　　　　　　　　　６．５ｇ
　リン酸水素二ナトリウム　　　２．３ｇ
　脱イオン交換水　　　　　４７６．２ｇ
　【００１８】
　【表２】
　【００１９】
尚、表中の記号は以下の意味である（以下の実施例にても同じ）。
◎…最良。
○…良好。
△…悪い。
×…非常に悪い。
　【００２０】
実施例２
　実施例１と同様に表１の引き粉に、粘結剤としてダイセル化学工業（株）のＣＭＣダイセル＜２２６０＞を引き粉に対して３，５，１０重量％添加して各種糞尿処理材を調製した。
　ガラスシャーレに５ｇの糞尿処理材を平らになるように入れ、尿の代用として実施例１で調製した試験液５ｍｌを静かに添加し、吸水速度の計測及び吸水した部分を指頭の感触で実施例１と同様に判定した。その結果を表３に示す。
　【００２１】
　【表３】
　【００２２】
　通常の引き粉と本発明に係わる粒度を調整した引き粉をそれぞれ単独で物性の相違するＣＭＣを添加し、基本的な評価を行なったが、糞尿処理材として必要とされる機能は表２及び表３に示した通りで、通常の引き粉Ａに比較して本発明に係わる引き粉Ｂが優れた特性を持つことが判明した。
　また、硬さ、保型性共に余り強固な場合は廃棄後の処理が難しくなると思われるが、本発明の引き粉はいずれも指での移動では崩れず、やや力を込めて圧迫すると崩れる程度であり、実用的な機能を有すると言える。また、湿潤した部分を水中に投じると、本発明品Ｎｏ．１の場合
はや
　更に生ゴミとして廃棄した場合でも焼却可能であると共に、埋め立てに使用したとしても基材及び材料が繊維質であるためセルラーゼ等の酵素によって極短時間に分解され、環境上も好ましい。
　【００２３】
　実施例３
　実施例１と同様に表１の引き粉に、粘結剤としてダイセル化学工業（株）のＣＭＣダイセル＜１１９０＞及びその他の粘結剤等を表４に示す量添加して各種糞尿処理材を調製した。
　ガラスシャーレに５ｇの糞尿処理材を平らになるように入れ、尿の代用として実施例１で調製した試験液５ｍｌを静かに添加し、吸水速度の計測を実施例１と同様に判定した。また、硬さの評価を飯尾電気（株）製のＩＰＣ解析装置を使用して行なった。試料は各５個を準備し、評価はその平均値である。その結果を表４に示す。
　【００２４】
　【表４】
　【００２５】
注）
　表中、ＣＭＣと混合使用した粘結剤等の略号は以下のものを示す（以下同じ）。
　Ｎａ−ＰＡ…ポリアクリル酸ナトリウム。
　グアーガム…飼料用グアーガム。
　サイリウム…サイリウムシードガムと称され、欧米では医薬用途に多用に使用されている。
　Ｎａ−Ａｌｇ…アルギン酸ナトリウム。
　硫アル…硫酸アルミニウム。ＣＭＣをゲル生成ＣＭＣとするための架橋剤。
　【００２６】
実施例４
　実施例１と同様に表１の引き粉に、粘結剤として実施例１及び２で用いたダイセル化学工業（株）のＣＭＣダイセル＜１１９０＞、ＣＭＣダイセル＜２２６０＞及び加工したＣＭＣ（ＣＭＣ９７部に硫酸アルミニウム３部を粉体混合し、約２０部の水を加えて短時間で攪拌し、しかる後に乾燥したもの）を表５に示す量添加して各種糞尿処理材を調製した。尚、本発明品
Ｎｏ．１４
　ガラスシャーレに５ｇの糞尿処理材を平らになるように入れ、尿の代用として実施例１で調製した試験液５ｍｌを静かに添加し、吸水速度の計測を実施例１と同様に判定した。また、硬さの評価を飯尾電気（株）製のＩＰＣ解析装置を使用して行なった。その結果を表５に示す。
　【００２７】
　【表５】
　【００２８】
　引き粉にベントナイトを併用した場合は湿潤面が平滑になりすぎて透水性を阻害する場合があるが、加工したＣＭＣを併用することにより、より高い吸水力を付与することができる（本発明品
Ｎｏ．１４
　【００２９】
実施例５
　実施例１と同様の表１の引き粉に、粘結剤として実施例１及び２で用いたダイセル化学工業（株）のＣＭＣダイセル＜１１９０＞、ＣＭＣダイセル＜２２６０＞及び加工したＣＭＣ（ＣＭＣ９７部に硫酸アルミニウム３部を粉体混合し、約２０部の水を加えて短時間で攪拌し、しかる後に乾燥したもの）を表６に示す量添加して各種糞尿処理材を調製した。尚、本発明品
Ｎｏ．１８及び１９
　ガラスシャーレに５ｇの糞尿処理材を平らになるように入れ、尿の代用として実施例１で調製した試験液５ｍｌを静かに添加し、吸水速度の計測を実施例１と同様に判定した。また、硬さの評価を飯尾電気（株）製のＩＰＣ解析装置を使用して行なった。その結果を表６に示す。
　【００３０】
　【表６】